(57)【要約】【課題】角落し材自体に浮力が強く作用することで、引き上げ開始時に負荷を軽減できるとともに、上流側に土砂が堆積している場合にも、土砂を崩すことで容易に浮上させることが可能な角落し材を提供する。【解決手段】一方の面２ａが流路の上流側に対向し、かつ他方の面２ｂが流路の下流側に対向するとともに、内部に空間Ｓが形成される立体形状のフロート２と、一方の面２ａに穿設され水が通過する第１の通過部３，３と、他方の面２ｂに穿設され水が通過する第２の通過部４，４と、フロート２の天井側の面２ｃに穿設され、空気及び水が通過する第３の通過部５，５を備え、第１乃至第３の通過部３〜５は、それぞれ第１乃至第３の開閉部材６〜８が取り付けられる。【選択図】図１
2019183528.tif 000002
【特許請求の範囲】
【請求項１】
流路の水を堰き止めるために、前記流路の途中に立設される一対の受枠の間に設置される角落し材であって、
一方の面が前記流路の上流側に対向し、かつ他方の面が前記流路の下流側に対向するとともに、内部に空間が形成される立体形状のフロートと、前記一方の面に穿設され前記水が通過する第１の通過部と、前記他方の面に穿設され前記水が通過する第２の通過部と、前記フロートの天井側の面に穿設され、空気及び前記水が通過する第３の通過部を備え、
前記第１乃至第３の通過部は、それぞれ第１乃至第３の開閉部材が取り付けられることを特徴とする角落し材。
【請求項２】
前記第１乃至第３の開閉部材は、それぞれ蓋体又は開閉バルブのいずれかであることを特徴とする請求項１に記載の角落し材。
【請求項３】
前記開閉バルブが前記第１乃至第３の開閉部材のうちの少なくともいずれかに設けられる場合に、
前記開閉バルブは、弁体と、この弁体の姿勢を前記流路の水面上から遠隔で手動操作する操作棒を備えることを特徴とする請求項２に記載の角落し材。
【請求項４】
前記フロートの底面と前記流路の底部の間に、前記フロートを浮上させる方向に付勢する弾性部材を備えることを特徴とする請求項１乃至請求項３のいずれか１項に記載の角落し材。
【請求項５】
前記フロートの前記一方の面よりも前記上流側に堆積した不要物を、前記水の流れに沿って流下させて除去するための不要物除去カバーを備え、
この不要物除去カバーは、前記第３の通過部に固定される固定部と、この固定部を介して前記フロートの前記一方の面よりも前記上流側に吊り下げられるカバー部からなり、
このカバー部は、前記固定部と接続される第１の板材と、この第１の板材よりも前記上流側に配置される第２の板材と、この第２の板材を前記第１の板材に対して移動可能に取り付ける取付部材を有し、
前記第１の板材は、前記第１の開閉部材に一致する位置に開放窓が形成されることを特徴とする請求項１乃至請求項４のいずれか１項に記載の角落し材。
【請求項６】
前記フロートは、繊維強化プラスチック製であることを特徴とする請求項１乃至請求項５のいずれか１項に記載の角落し材。
【発明の詳細な説明】
【技術分野】
【０００１】
本発明は、流路の水を堰き止めるために、流路の途中に設置される一対の受枠の間に落とし込まれる角落し材に係り、特に、浮力が作用することで流路から引き上げ容易な角落し材に関する。
【背景技術】
【０００２】
従来、水力発電所では、渓流取水をするために、流路の途中に木製の板材からなる角落し材を設置して流路の水を堰き止めることが行われている。しかし、角落し材の上流側に大量の土砂が堆積している場合には、その土圧により、角落し材を人力によって引き上げることが非常に困難であるという課題があった。
このような課題を解決するため、近年、撤去作業や位置変更作業を容易とする角落し材が開発されており、それに関して既にいくつかの考案や発明が開示されている。
【０００３】
特許文献１には「角落とし」という名称で、容易に引き上げ可能な角落しに関する考案が開示されている。
以下、特許文献１に開示された考案について説明する。特許文献１に開示された考案は、２本の受枠の対向面に設けられる一対の溝に落とし込まれる板材の表面から裏面に貫通したバルブを設け、このバルブ内の少なくとも一部にねじ山を刻設したことを特徴とする。
このような特徴を有する考案においては、板材を引き上げる際に、バルブを開放して上流側から下流側の空の水路に水を流入させる。これにより、板材の両面の水位が同等になり、それぞれの水圧も均等になるため、板材を容易に引き上げることができる。
【０００４】
次に、特許文献２には「遮水板」という名称で、容易に撤去作業や位置変更作業を行うことができる遮水板に関する発明が開示されている。
以下、特許文献２に開示された発明について説明する。特許文献２に開示された発明は、水路内に設けられて水路を仕切るための遮水板において、内部に、水路内の水が流入する空洞部が設けられ、かつ空洞部を外部と連通する通水孔が空洞部の下端部近傍に設けられているとともに、空洞部を外部と連通する通気孔が空洞部の上端部近傍に設けられていることを特徴とする。
このような特徴を有する発明においては、水路内に施工したとき、下端部近傍の通水孔から空洞部内に円滑に導水され、空洞部内の空気が上端部近傍の通気孔から流出する。また、水路内から撤去したとき、下端部近傍の通水孔から空洞部内の水が円滑に流出し、上端部近傍の通気孔から空洞部内に外気が流入する。
したがって、施工後に遮水板が浮き上がることを防止できるとともに、一方で撤去する際には軽量となるので作業の迅速化を図ることができる。
【先行技術文献】
【特許文献】
【０００５】
【特許文献１】実全平２−５４８３５号公報
【特許文献２】特開２００１−２４１０２９号公報
【発明の概要】
【発明が解決しようとする課題】
【０００６】
しかしながら、特許文献１に開示された考案においては、バルブが板材の表面から裏面に貫通しているため、上流側に土砂が堆積した場合では、バルブを開放してもバルブ内に土砂が詰まり、下流側の空の水路に水を流入させることが困難であると考えられる。よって、特許文献１に開示された考案は、土砂が堆積した場合において角落し材を容易に引き上げ可能とするという課題を、十分に解決できていないものと考えられる。
【０００７】
次に、特許文献２に開示された発明においては、通水孔から空洞部内の水が流出するのは、少なくとも遮水板を上方に持ち上げた後であると考えられるため、持ち上げ開始時に作業者に一定の負荷がかかるものと考えられる。また、高さ方向に複数段の遮水板が積み上げられているので、すべての遮水板を持ち上げるとなると、その負荷も大きなものとなる。したがって、特許文献２に開示された発明によっては、土砂の堆積に関わらず、遮水板を容易に引き上げ可能であるとは言えない可能性がある。
【０００８】
本発明は、このような従来の事情に対処してなされたものであり、角落し材自体に浮力が強く作用することで、引き上げ開始時に負荷を軽減でき、さらに、上流側に土砂が堆積している場合にも、この土砂を少し崩すことで容易に浮上させることのできる角落し材を提供することを目的とする。
【課題を解決するための手段】
【０００９】
上記目的を達成するため、第１の発明は、流路の水を堰き止めるために、流路の途中に立設される一対の受枠の間に設置される角落し材であって、一方の面が流路の上流側に対向し、かつ他方の面が流路の下流側に対向するとともに、内部に空間が形成される立体形状のフロートと、一方の面に穿設され水が通過する第１の通過部と、他方の面に穿設され水が通過する第２の通過部と、フロートの天井側の面に穿設され、空気及び水が通過する第３の通過部を備え、第１乃至第３の通過部は、それぞれ第１乃至第３の開閉部材が取り付けられることを特徴とする。
このような構成の発明において、第１乃至第３の開閉部材は手動で開閉されるほか、電動で開閉されても良い。
【００１０】
上記構成の発明においては、フロートがすでに流路に設置されている場合には、フロートの内部に流路の水が充満した状態であり、かつ第１乃至第３の通過部はそれぞれ第１乃至第３の開閉部材によって閉止されている。よって、充満した水の荷重により、フロートの浮き上がりが防止される。
また、流路に設置されているフロートを引き上げる際は、第２及び第３の開閉部材を開放することで、フロートの内部に充満した水が第２の通過部を介して下流側に流出するとともに、空気が第３の通過部を介してフロートの内部へ吸引される。すなわち、フロートの内部に貯留された水が空気に置き換わることから、フロート自体に作用する浮力によって、フロートは直ちに浮上しようとする。
【００１１】
一方、空のフロートを流路に設置する際には、第１及び第３の開閉部材を開放したフロートを流路へ強制的に沈めることで、フロートの内部へ第１の通過部を介して水が流入すると同時に、この内部に存在していた空気が第３の通過部を介して排気される。ただし、第２の開閉部材を閉止することにより、フロートの内部へ流入した水は第２の通過部を介して下流側に流出することなく、そのまま内部に貯留される。これにより、フロートは浮き上がることなく流路に設置され、上流側の水を堰き止めることが可能となる。
【００１２】
次に、第２の発明は、第１の発明において、第１乃至第３の開閉部材は、第１乃至第３の開閉部材は、それぞれ蓋体又は開閉バルブのいずれかであることを特徴とする。
このような構成の発明においては、例えば、第１乃至第３の開閉部材のうち、第１及び第３の開閉部材が蓋体であって、かつ第３の開閉部材が開閉バルブである場合や、第１乃至第３の開閉部材のいずれもが蓋体である場合、あるいは第１乃至第３の開閉部材のいずれもが開閉バルブである場合が考えられる。
また蓋体としては、例えば、第１乃至第３の通過部にねじ込み可能にそれぞれネジ部が形成されてなるものが使用される。さらに、バルブとしては、例えば、第１乃至第３の通過部に取り付けられる切替弁が使用される。なお、切替弁の切替は、手動又は電動のいずれで行われても良い。
上記構成の発明においては、第１の発明の作用に加えて、簡単な操作で蓋体を装着又は脱着したり、開閉バルブを開閉したりすることにより、フロート内部への水や空気の取込、又は排出が可能となる。
【００１３】
続いて、第３の発明は、第２の発明において、開閉バルブが第１乃至第３の開閉部材のうちの少なくともいずれかに設けられる場合に、開閉バルブは、弁体と、この弁体の姿勢を流路の水面上から遠隔で手動操作する操作棒を備えることを特徴とする。
このような構成の発明においては、第２の発明の作用に加えて、操作棒によって、弁体の姿勢が流路内に手を挿入することなく切り替えられる。なお、開閉バルブとして、例えば、ゲートバルブやボールバルブ等、一般的な弁構造が使用されることが考えられる。
【００１４】
さらに、第４の発明は、第１乃至第３のいずれかの発明において、フロートの底面と流路の底部の間に、フロートを浮上させる方向に付勢する弾性部材を備えることを特徴とする。
このような構成の発明において、弾性部材の付勢力の大きさは、フロートに水が充満している際はこのフロートを浮上させない程度に制限され、かつフロートから水が排出されるにつれてフロートを徐々に浮上させる程度に調整されたものであることが好適である。
上記構成の発明においては、第１乃至第３のいずれかの発明の作用に加えて、フロート自体に作用する浮力に加え、弾性部材の付勢力がさらに加えられるので、フロートが一層浮上し易くなる。
【００１５】
そして、第５の発明は、第１乃至第４のいずれかの発明において、フロートの一方の面よりも上流側に堆積した不要物を、水の流れに沿って流下させて除去するための不要物除去カバーを備え、この不要物除去カバーは、第３の通過部に固定される固定部と、この固定部を介してフロートの一方の面よりも上流側に吊り下げられるカバー部からなり、このカバー部は、固定部と接続される第１の板材と、この第１の板材よりも上流側に配置される第２の板材と、この第２の板材を第１の板材に対して移動可能に取り付ける取付部材を有し、第１の板材は、第１の開閉部材に一致する位置に開放窓が形成されることを特徴とする。
【００１６】
このような構成の発明においては、第１乃至第４のいずれかの発明の作用に加えて、流路に設置したフロートの上流側に土砂や木の葉、ごみといった不要物が堆積している場合、フロートを浮上させる前に、第２の板材を手動にて少し動かすことができる。
これにより、フロートの一方の面の上流側に堆積していた不要物が崩れ始め、水の流れに沿って流下する。この後、フロートを浮上させて完全に不要物を除去する。また、フロートを再度流路に沈降させる際には、第１の板材に形成された開放窓を介して第１の開閉部材を操作する。すなわち、第１の通過部を開放して水をフロートへ充満させ、その後同様に第１の第１の通過部を閉止する。
【００１７】
そして、第６の発明は、第１乃至第５のいずれかの発明において、フロートは、繊維強化プラスチック製であることを特徴とする。
このような構成の発明においては、第１乃至第５のいずれかの発明の作用に加えて、フロートが繊維強化プラスチック製であるため、軽量であり浮上し易く、かつ水圧や土砂に対して破損し難い。
【発明の効果】
【００１８】
第１の発明によれば、第１乃至第３の通過部をそれぞれ第１乃至第３の開閉部材で開閉することにより、フロートを流路から引き上げたり、流路へ沈めたりすることができる。このうち、引き上げる場合では、フロートの内部に空気を導入することによって、フロート自体に浮力が作用するため、その際の負荷を軽減することができる。
【００１９】
第２の発明によれば、第１の発明の効果に加えて、第１乃至第３の開閉部材は、簡単な操作によって、所望のタイミングで蓋体又は開閉バルブを開閉可能である。よって、操作性が良好である。
【００２０】
第３の発明によれば、第２の発明の効果に加えて、操作棒によって、弁体の姿勢が流路内に手を挿入することなく切り替えられるので、作業者の負担を軽減できる。また、弁体の姿勢を、操作棒の位置によって把握できるため、切り替え時の操作ミスを抑制することが可能である。
【００２１】
第４の発明によれば、第１乃至第３のいずれかの発明の効果に加えて、弾性部材の付勢力によって、フロートが一層浮上し易くなるので、引き上げ開始時における負荷をさらに軽減することができる。
【００２２】
第５の発明によれば、第１乃至第４のいずれかの発明の効果に加えて、第２の板材を少し動かすことにより、フロートの上流側に堆積していた不要物を容易に流下させることができるので、フロートを引き上げる前に予めスコップ等の工具を用いてこれを掘り出す必要がなくなる。
【００２３】
第６の発明によれば、第１乃至第５のいずれかの発明の効果に加えて、フロートが浮上し易く、かつ破損し難いため、操作性に加えて経済性も優れたものとなる。
【図面の簡単な説明】
【００２４】
【図１】実施例に係る角落し材の斜視図である。
【図２】（ａ）は実施例に係る角落し材を下流側から視た正面図であり、（ｂ）は（ａ）におけるＡ方向矢視図である。
【図３】実施例に係る角落し材の使用状態図であって、図２（ａ）におけるＢ方向矢視図である。
【図４】（ａ）乃至（ｃ）は、それぞれ実施例に係る角落し材の作用を説明するための図であって、図２（ａ）におけるＡ方向と同一の方向から視た場合の矢視図である。
【図５】実施例の第１の変形例に係る角落し材の斜視図である。
【図６】（ａ）及び（ｂ）は、それぞれ実施例の第２の変形例に係る角落し材を下流側から視た正面図であり、（ｃ）は、図２（ａ）におけるＢ方向と同一の方向から視た場合の矢視図である。
【図７】（ａ）及び（ｂ）は、それぞれ実施例の第３の変形例に係る角落し材の作用を説明するための図であって、図２（ａ）におけるＡ方向と同一の方向から視た場合の矢視図である。
【発明を実施するための形態】
【実施例】
【００２５】
本発明の実施の形態に係る角落し材について、図１乃至図４を用いて詳細に説明する。図１は、実施例に係る角落し材の斜視図である。図２（ａ）は実施例に係る角落し材を下流側から視た正面図であり、図２（ｂ）は図２（ａ）におけるＡ方向矢視図である。
図１に示すように、本発明の実施の形態に係る角落し材１は、流路５０の水５１（図３参照）を堰き止めるために、流路５０の途中に立設される一対の受枠５３，５３（図３参照）の間に設置される角落し材である。
角落し材１は、一方の面２ａが流路５０の上流側５０ａ（図３，４参照）に対向し、かつ他方の面２ｂが流路５０の下流側５０ｂ（図３，４参照）に対向するとともに、内部に空間Ｓが形成される立方体形状のフロート２と、一方の面２ａに穿設され水５１が通過する第１の通過部３，３と、他方の面２ｂに穿設され水５１が通過する第２の通過部４，４と、フロート２の天井側の面２ｃに穿設され、空気及び水５１が通過する第３の通過部５，５と、この第３の通過部５，５の側方に取り付けられる円弧形状の持ち手９，９を備える。
このうち、フロート２は、例えば、ポリエステル樹脂やビニルエステル樹脂等にガラス繊維や炭素繊維等が添加された繊維強化プラスチック製であって、軽量であるとともに優れた耐衝撃性を有する。ただし、その材質は特に制限されない。
また、第１の通過部３は第１の開閉部材６が取り付けられる。同様に、第２の通過部４は第２の開閉部材７が取り付けられ、第３の通過部５はそれぞれ第３の開閉部材８が取り付けられる。
【００２６】
詳細には、第１の通過部３は、円形孔３ａと、この円形孔３ａの周囲に立設され、外周面にネジ部（図示せず）が形成された円筒体３ｂからなる。また、第１の開閉部材６は、円筒体３ｂに取り付けられる蓋体であって、円筒体３ｂのネジ部に螺合するスクリューキャップである。
【００２７】
また、第２の通過部４は、円形孔４ａと、この円形孔４ａの周囲に立設された円筒体４ｂからなる。さらに、第２の開閉部材７は、円筒体４ｂの途中に設置される開閉バルブであって、ハンドル７ａを回動させて弁体（図示せず）に上下運動させることにより、円筒体４ｂの流路を開閉する仕切弁である。このほか、弁体に回動運動させることにより、流路を開閉するボール弁やバタフライ弁が使用されても良い。
【００２８】
そして、第３の通過部５は、第１の通過部３と同様な構造であって、円形孔５ａと、この円形孔５ａの周囲に立設され、外周面にネジ部（図示せず）が形成された円筒体５ｂからなる。また、第３の開閉部材８も第１の開閉部材６と同様に、円筒体５ｂに取り付けられる蓋体であって、円筒体５ｂのネジ部に螺合するスクリューキャップである。
【００２９】
また、図２（ａ）及び図２（ｂ）に示すように、第３の通過部５の円筒体５ｂのネジ部に、第３の開閉部材８が螺合すると、第３の通過部５の円形孔５ａが閉止される。
同様に、図２（ｂ）に示すように、第１の通過部３の円筒体３ｂのネジ部に、第１の開閉部材６が螺合すると、第１の通過部３の円形孔３ａが閉止される。
【００３０】
次に、実施例に係る角落し材の使用状態について、図３及び図４を用いながら説明する。図３は、実施例に係る角落し材の使用状態図であって、図２（ａ）におけるＢ方向矢視図である。図４（ａ）乃至図４（ｃ）は、それぞれ実施例に係る角落し材の作用を説明するための図であって、図２（ａ）におけるＡ方向と同一の方向から視た場合の矢視図である。なお、図１及び図２で示した構成要素については、図３及び図４においても同一の符号を付して、その説明を省略する。また、図４（ａ）乃至図４（ｃ）においては、持ち手９の表示も省略する。
図３に示すように、角落し材１は、受枠５３，５３同士が対向する面に形成された凹部５３ａと凹部５３ａの間に落とし込まれて設置される。図３において、角落し材１より上側が流路５０の上流側５０ａであり、下側が下流側５０ｂである。
【００３１】
図４（ａ）は、角落し材１が流路５０の途中に設置されている通常の様子を示したものである。このとき、フロート２の空間Ｓは水５１で満たされ、第１乃至第３の通過部３〜５は、それぞれ第１乃至第３の開閉部材６〜８によって閉止されている（図中×印）。これにより、フロート２の底面２ｄは、流路５０の底部５０ｃから浮上せず、流路５０の水を堰き止めることができる。
ただし、フロート２の一方の面２ａでは、河川の出水等により不要物５５が堆積してくる場合があるため、フロート２を一旦引き上げて不要物５５を除去することが必要となる。
【００３２】
そこで、フロート２を引き上げるには、まず図４（ｂ）に示すように、第１の通過部３を第１の開閉部材６によって閉止したまま、第２の開閉部材７のハンドル７ａを回動操作して第２の通過部４を開放するとともに、第３の通過部５に螺合している第３の開閉部材８を取り外す。これにより、空間Ｓを満たしていた水５１が流路５０の下流側５０ｂに第２の通過部４を介して排出されると同時に、フロート２の周囲にある空気５２が第３の通過部５を介してフロート２の空間Ｓへ吸引される。
このように、フロート２の空間Ｓを満たしていた水５１がほぼ排出されると、フロート２の内部に貯留された水５１が空気５２に置き換わることから、フロート２は直ちに浮上しようとする。ただし、フロート２の一方の面２ａには不要物５５が堆積し、その浮上を妨げているため、この不要物５５を工具等で予め少し崩すことが必要である。その結果、フロート２に作用していた浮力が効力を発揮し始め、容易にフロート２を引き上げることができる。この引き上げにより、堆積していた不要物５５は、水５１の流れによって下流側５０ｂへと完全に押し流されることとなる。
【００３３】
続いて図４（ｃ）は、一旦フロート２を引き上げた後、再度フロート２を受枠５３，５３（図３参照）の間に再設置する際の様子を示したものである。
フロート２を再設置するには、空間Ｓに水を導入することが必要であることから、第２の開閉部材７のハンドル７ａを回動操作して第２の通過部４を閉止するとともに、第３の通過部５に螺合している第３の開閉部材８を取り外し、フロート２を受枠５３，５３の間へ徐々に沈降させる。すると、第１の通過部３，３を水５１がそれぞれ通過して、フロート２の空間Ｓへ導入される。なお、第３の開閉部材８は、第３の通過部５から取り外されたままなので、上記導入と同時に空間Ｓに存在する空気５２が第３の通過部５を通過してフロート２から排出される。
そして、空間Ｓに水が充満した後、第１の通過部３に第１の開閉部材６を螺合させるとともに、第３の通過部５に第３の開閉部材８を螺合させる。これにより、上流側５０ａの不要物５５が除去された後、フロート２が図４（ａ）で示した状態となって、再び流路５０の水を堰き止めることができる。
【００３４】
以上説明したように、実施例に係る角落し材１によれば、第１乃至第３の通過部３〜５をそれぞれ第１乃至第３の開閉部材６〜８で独立に開閉することにより、フロート２を流路５０から引き上げたり、再度流路５０へ沈めたりすることができる。このうち、フロート２を引き上げる場合では、フロート２の空間Ｓに空気を導入することによってフロート２に浮力が作用するため、その際の負荷を軽減することができる。よって、従来では引き上げ困難であった上流側５０ａに不要物５５が堆積している場合にも、この不要物５５を少し崩すことにより、フロート２を容易に引き上げることができる。
また、角落し材１によれば、第１及び第２の開閉部材６，８はいずれもスクリューキャップであり、第２の開閉部材７は仕切弁であるため、簡単な操作で第１乃至第３の開閉部材３〜５を開閉することができ、操作性が良好である。
さらに、角落し材１によれば、フロート２は、繊維強化プラスチック製であって、軽量であるとともに優れた耐衝撃性を有することから、浮上し易く、かつ水圧や土砂、流下してきた木屑等のごみに対して破損し難いとともに、経済性も良好である。
【００３５】
次に、実施例の第１の変形例に係る角落し材について、図５を用いながら、説明する。図５は、実施例の第１の変形例に係る角落し材の斜視図である。なお、図１乃至図４で示した構成要素については、図４においても同一の符号を付して、その説明を省略する。
図５に示すように、実施例の第１の変形例に係る角落し材１ａは、実施例に係る角落し材１を構成する第１の通過部３，３の代わりに、それぞれ第１の通過部１０，１０が、一方の面２ａの下方に横方向に並列して設けられる。さらに、角落し材１ａは、角落し材１を構成する第１の開閉部材６，６の代わりに、それぞれ第１の開閉部材１２，１２が第１の通過部１０，１０の途中に設置される。加えて、角落し材１の第２の通過部４，４及び第２の開閉部材７，７の代わりに、第２の通過部１１，１１及び第２の開閉部材１３，１３が、他方の面２ｂの下方に横方向に並列して設けられる。
第１の通過部１０は、円形孔１０ａと、この円形孔１０ａの周囲に立設された円筒体１０ｂからなる。第１の開閉部材１２は、円筒体１０ｂの途中に設置される開閉バルブであって、円筒体１０ｂを開閉するボール弁（図示せず）と、このボール弁の姿勢を流路５０の水面上から遠隔で手動操作する操作棒１４と、この操作棒１４と第１の通過部１０の接合部を水密に被覆するカバー体１５を備える。
また、第２の通過部１１及び第２の開閉部材１３は、それぞれ第１の通過部３及び第１の開閉部材６と同様の構成である。
【００３６】
操作棒１４は、下端１６ａが上述のボール弁の上部と連結される棒状部１６と、棒状部１６の上端１６ｂに取り付けられる摘み部１７からなる。
カバー体１５は、柔軟性を有する合成ゴム製であって、上記の接合部を水密に被覆しつつ棒状部１６の回動運動に追随可能である。
摘み部１７は、手動操作によりボール弁の回動軸Ｊを中心として双方向に回動可能であって、摘み部１７の長さ方向が一方の面２ａと平行をなすとき、ボール弁が円筒体１０ｂを閉止する。一方、摘み部１７の長さ方向が一方の面２ａに対して直交するとき、ボール弁が回動軸Ｊを中心として９０度回動しており、円筒体１０ｂを開放する。これ以外の実施例の第１の変形例に係る角落し材１ａの構成は、実施例１に係る角落し材１の構成と同様である。
【００３７】
上記構成の角落し材１ａにおいては、摘み部１７の姿勢を手動で切り替えることによって、第１の通過部１０が閉止又は開放される。したがって、流路５０内に手を挿入することなく、水をフロート２内部に導入することができる。したがって、フロート２の再設置時の操作を一層容易にできるとともに、作業員の身体的負担をより軽減することが可能である。これ以外の実施例の第１の変形例に係る角落し材１ａの作用及び効果は、実施例１に係る角落し材１の作用及び効果と同様である。
【００３８】
さらに、実施例の第２の変形例に係る角落し材について、図６を用いながら、説明する。図６（ａ）及び図６（ｂ）は、それぞれ実施例の第２の変形例に係る角落し材を下流側から視た正面図であり、図６（ｃ）は、図２（ａ）におけるＢ方向と同一の方向から視た場合の矢視図であるなお、図１乃至図５で示した構成要素については、図６においても同一の符号を付して、その説明を省略する。
図６（ａ）及び図６（ｂ）に示すように、実施例の第２の変形例に係る角落し材１ｂは、フロート２が受枠５３，５３の間に設置される支持部材５４によって支持されており、フロート２の底面２ｄと流路５０の底部５０ｃの間に、フロート２を浮上させる方向に付勢する弾性部材１８，１８と、弾性部材１８，１８をそれぞれ水密に収容するカバー体１９，１９を備える。
【００３９】
弾性部材１８は、金属製のコイル状をなす押しバネである。その付勢力の大きさは、フロート２に水が充満している際はフロート２を浮上させない程度に制限され、かつフロート２から水が排出されるにつれてフロート２を徐々に浮上させる程度に調整されたものである。
また、カバー体１９は、弾性部材１８の防錆を目的として設置される柔軟性を有する合成ゴム製のジャバラ状円筒体である。弾性部材１８の下端と、カバー体１９の下端は、支持部材５４の後述する底板５４ｃにいずれも固着され、かつ弾性部材１８の上端と、カバー体１９の上端が、支持部材５４の後述する載置板５４ｄにいずれも固着されている。よって、カバー体１９は、弾性部材１８を水密に被覆しつつ弾性部材１８の伸縮運動に追随可能である。
【００４０】
また、図６（ｃ）に示すように、支持部材５４は、フロート２の一方の面２ａ及び他方の面２ｂをそれぞれ挟む側板５４ａ，５４ａと、流路５０の底部５０ｃの高さ位置で側板５４ａ，５４ａ同士を連結する底板５４ｃと、この底板５４ｃに平行してその上方に配置される載置板５４ｄからなる。
側板５４ａ，５４ａと、底板５４ｂと、載置板５４ｄは、それぞれ短冊形状の平板であって、このうち載置板５４ｄの両端５４ｄ´，５４ｄ´は、受枠５３，５３の凹部５３ａ，５３ａにそれぞれ嵌め込まれている。さらに、他方の面２ｂ側の側板５４ａのうち、第２の通過部４，４に一致する位置に、水の排出を阻害しないための切り欠き５４ｂ，５４ｂがそれぞれ形成されている。
【００４１】
上記構成の角落し材１ｂにおいては、図６（ａ）に示すように、フロート２内部が水で満たされている場合に、弾性部材１８，１８は水やフロート２等の荷重によって、最小長さに短縮している。そのため、フロート２は浮上することなく受枠５３，５３の間に落とし込まれ、流路５０の水を堰き止めている。なお、支持部材５４の側板５４ａ，５４ａは、水が底板５４ｃと載置板５４ｄの間に大量に侵入して、堰き止めが不十分になることを防止するために設けられたものである。
次に、図４（ｂ）を用いて説明したとおり、フロート２を引き上げる際には、図６（ｂ）に示すように、第２の通過部４，４を介して水が排出されるにつれてフロート２内部にある水の荷重が徐々に減少するため、弾性部材１８，１８が伸長してくる。すなわち、水の浮力に加え、弾性部材１８，１８の付勢力がさらにフロート２に加えられるので、フロート２は一層浮上し易くなる。
【００４２】
したがって、実施例の第２の変形例に係る角落し材１ｂによれば、弾性部材１８，１８の付勢力によって、フロート２が一層浮上し易くなるので、引き上げ開始時における作業者の負荷をさらに軽減することができる。これ以外の実施例の第２の変形例に係る角落し材１ｂの作用及び効果は、実施例に係る角落し材１の作用及び効果と同様である。
【００４３】
続いて、実施例の第３の変形例に係る角落し材について、図７を用いながら、説明する。図７（ａ）及び図７（ｂ）は、それぞれ実施例の第３の変形例に係る角落し材の作用を説明するための図であって、図２（ａ）におけるＡ方向と同一の方向から視た場合の矢視図である。なお、図１乃至図６で示した構成要素については、図７においても同一の符号を付して、その説明を省略する。
図７（ａ）及び図７（ｂ）に示すように、実施例の第３の変形例に係る角落し材１ｃは、フロート２の一方の面２ａよりも上流側５０ａに堆積した不要物５５を、水の流れに沿って流下させて除去するための不要物除去カバー２０を備える。
不要物除去カバー２０は、第３の通過部５，５に一端２１ａが固定される固定部２１と、この固定部２１を介してフロート２の一方の面２ａよりも上流側５０ａに吊り下げられるカバー部２２からなる。
カバー部２２は、固定部２１の他端２１ｂと接続される第１の板材２３と、この第１の板材２３よりも上流側５０ａに配置される第２の板材２４と、この第２の板材２４を第１の板材２３に対して移動可能に取り付ける取付部材２５を有する。
【００４４】
また、第１の板材２３は、第１の開閉部材６，６と、一方の面２ａのうちの第１の開閉部材６と第１の開閉部材６の間の一部分を被覆する平板であって、第１の開閉部材６，６に一致する位置にそれぞれ円形状の開放窓２６，２６が形成される。さらに、第１の板材２３は、その上縁寄りに係止孔２７ａが設けられる。
そして、第２の板材２４も、第１の板材２３と同じ面積を有する平板であって、その上端面に、伸縮可能な持ち手２４ａが取り付けられるとともに、この持ち手２４ａの下方に第１の板材２３の係止孔２７ａに係止される突起部２７ｂが設けられる。
【００４５】
詳細には、固定部２１の一端２１ａはリング状をなし、図７（ａ）に示すように、この一端２１ａが、第３の通過部５，５の円筒体５ｂの外周面に掛止された後に第３の開閉部材８，８とフロート２の天井側の面２ｃによって挟みこまれることで、不要物除去カバー２０が第３の通過部５，５に固定される。
また、取付部材２５は、第１の板材２３の下縁と、第２の板材２４の下縁の間に介在するヒンジである。これにより、図７（ｂ）に示すように、第２の板材２４の持ち手２４ａ側の上縁が、取付部材２５を中心として図中両矢印方向に傾動可能である。その傾動角θが取り得る大きさは、第１の板材２３と第２の板材２４が平行する場合を０度としたとき、本実施例では最大で約４０度であるが、これよりも大きくても、小さくても良い。
【００４６】
上記構成の角落し材１ｃにおいては、図４（ａ）を用いて説明したとおり、フロート２が受枠５３，５３（図３参照）に設置されている場合には、図７（ａ）に示すように、固定部２１の一端２１ａが第３の通過部５，５に取り付けられるとともに、カバー部２２の第１の板材２３が第１の開閉部材６，６に接触しているため、水５１の流れにも関わらずカバー部２２は安定的に保持されている。このとき、突起部２７ｂが係止孔２７ａへ嵌め込まれるとともに、持ち手２４ａが短縮された状態にある。
次に、図４（ｂ）を用いて説明したとおり、フロート２を引き上げる際には、図７（ｂ）に示すように、持ち手２４ａを引き出した後、これを把持して第２の板材２４を第１の板材２３に対して手動で傾動させる。これにより、突起部２７ｂが係止孔２７ａから抜き出されるので、第２の板材２４を図７（ｂ）中の両矢印方向に繰り返し揺動させることができる。この揺動の結果、不要物５５が崩れ始め、水の流れに沿って流下することになる。不要物５５が流下してフロート２の引き上げが容易になった時点で、フロート２を浮上させて完全に不要物５５を除去する。
【００４７】
そして、フロート２を再度流路５０に沈降させる際には、第１の板材２３に形成された開放窓２６，２６に手を差し入れて、第１の開閉部材６，６を第１の通過部３，３へ螺合させる操作を行う。すなわち、水をフロート２へ充満させた後、第１の通過部３，３を閉止する。その後、第２の板材２４を元の位置に戻すと、フロート２が、受枠５３，５３の間に設置された通常の状態に戻る。
【００４８】
以上、説明したように、角落し材１ｃによれば、第２の板材２４を揺動させることにより、上流側５０ａに堆積していた不要物５５を容易に流下させることができる。よって、フロート２を引き上げる前に予めスコップ等の工具を用いてこれを掘り出す必要がなくなることから、不要物５５が堆積していることによる作業負担を軽減することができる。
また、第１の板材２３に開放窓２６，２６が設けられることにより、不要物除去カバー２０全体をフロート２から取り外すことなく第１の開閉部材６，６の着脱が可能となるので、使い勝手も良好である。これ以外の実施例の第３の変形例に係る角落し材１ｃの作用及び効果は、実施例１に係る角落し材１の作用及び効果と同様である。
【００４９】
なお、本発明に係る角落し材は、実施例に示すものに限定されない。例えば、第１乃至第３の通過部３〜５の周辺にそれぞれスライドレールが設けられ、板状の第１乃至第３の開閉部材６〜８がこれらのスライドレールに沿ってスライド移動することで、第１乃至第３の通過部３〜５が開閉されても良い。また、第１乃至第３の開閉部材６〜８すべてが、第１乃至第３の通過部３〜５に螺合する蓋体であっても良い。さらに、第１乃至第３の通過部３〜５と、第１乃至第３の開閉部材６〜８は、それぞれ１個、又は３個以上設けられても良い。加えて、第１及び第２の開閉部材６〜８は、仕切弁やボール弁以外の弁構造、例えばバタフライ弁が使用されても良い。
このほか、角落し材１ａの弾性部材１８，１８の代わりに、板ばねが使用されても良く、弾性部材１８に防錆加工が施される場合には、カバー体１９は省略されても良い。また、角落し材１ｂにおいて、第２の通過部１１として仕切弁が使用される場合には、操作棒１４は上下方向に移動しても良い。
あるいは、角落し材１ｃにおいて、取付部材２５としてヒンジの代わりにスライドレールが用いられ、第２の板材２４が第１の板材２３に対して上下方向又は左右方向にスライド可能に構成されても良い。
【産業上の利用可能性】
【００５０】
本発明は、流路の水を堰き止めるために設置される角落し材として利用可能である。
【符号の説明】
【００５１】
１，１ａ〜１ｃ…角落し材  ２…フロート  ２ａ…一方の面  ２ｂ…他方の面  ２ｃ…天井側の面  ２ｄ…底面  ３…第１の通過部  ３ａ…円形孔  ３ｂ…円筒体  ４…第２の通過部  ４ａ…円形孔  ４ｂ…円筒体  ５…第３の通過部  ５ａ…円形孔  ５ｂ…円筒体  ６…第１の開閉部材  ７…第２の開閉部材  ７ａ…ハンドル  ８…第３の開閉部材  ９…持ち手  １０…第１の通過部  １０ａ…円形孔  １０ｂ…円筒体  １１…第２の通過部  １２…第１の開閉部材  １３…第２の開閉部材  １４…操作棒  １５…カバー体  １６…棒状部  １６ａ…下端  ６ｂ…上端  １７…摘み部  １８…弾性部材  １９…カバー体  ２０…不要物除去カバー  ２１…固定部  ２１ａ…一端  ２１ｂ…他端  ２２…カバー部  ２３…第１の板材  ２４…第２の板材  ２４ａ…持ち手  ２５…取付部材  ２６…開放窓  ２７ａ…係止孔  ２７ｂ…突起部  ５０…流路  ５０ａ…上流側  ５０ｂ…下流側  ５０ｃ…底部  ５１…水  ５２…空気  ５３…受枠  ５３ａ…凹部  ５４…支持部材  ５４ａ…側板  ５４ｂ…切り欠き  ５４ｃ…底板  ５４ｄ…載置板  ５４ｄ´…両端  ５５…不要物  
【図１】
2019183528.tif 000003
【図２】
2019183528.tif 000004
【図３】
2019183528.tif 000005
【図４】
2019183528.tif 000006
【図５】
2019183528.tif 000007
【図６】
2019183528.tif 000008
【図７】
2019183528.tif 000009